(57)【要約】      （修正有）【課題】内容物を視認することができ、かつ見た目のよい食品包装用袋を提供する。【解決手段】袋本体３と底部２とから構成された透明又は半透明の合成樹脂製の食品包装用袋１であって、底部２の内面側が耐油性及び／又は耐水性紙で構成されたことを特徴とする食品包装用袋である。袋本体３が透明又は半透明の合成樹脂製フィルムにより構成されているため、袋内の食品を外部から視認することができる。また、底部２が耐油性及び／又は耐水性紙４で構成されているため不透明となり、食品から落ちた油や水等のドリップを外部から隠すことができ、見た目が良い。また、耐油性及び／又は耐水性紙部分が、あたかもトレーや皿のような印象を与え、美感に優れる。さらに、耐油性及び／又は耐水性紙により、油や水の漏れを防ぐことができる。【選択図】図５
0003136064.tif 000002
【実用新案登録請求の範囲】
【請求項１】
袋本体と底部とから構成された透明又は半透明の合成樹脂製の食品包装用袋であって、底部の内面側が耐油性及び／又は耐水性紙で構成されたことを特徴とする食品包装用袋。
【請求項２】
袋本体と底部とから構成された透明又は半透明の合成樹脂製の食品包装用袋であって、底部の内面側が耐油性及び／又は耐水性紙で構成され、さらに該耐油性及び／又は耐水性紙の内側に不織布が配置されたことを特徴とする食品包装用袋。
【請求項３】
前記袋本体は側方にガゼットの無い平袋から構成され、前記底部は内方に折り込んだガゼットが形成され、ガゼットを折り込んだ状態で、ガゼットの両端が斜めにカットされて角が除去されたことを特徴とする請求項１又は２に記載の食品包装用袋。
【請求項４】
前記袋本体のガゼットよりも上方位置に、周方向に切り離し用のミシン目が形成されたことを特徴とする請求項１〜３のいずれかに記載の食品包装用袋。
【請求項５】
前記袋本体の開口側に、取手としての開口が設けられたことを特徴とする請求項１〜４のいずれかに記載の食品包装用袋。
【請求項６】
袋本体と底部とから構成された透明又は半透明の合成樹脂製の食品包装用袋であって、前記袋本体は側方にガゼットの無い平袋から構成され、前記底部は内方に折り込んだガゼットが形成され、ガゼットを折り込んだ状態でガゼットの両端が斜めにカットされて角が除去され、前記底部から前記袋本体の一部にかけての内面側が耐油性及び／又は耐水性紙で構成され、さらに耐油性及び／又は耐水性紙の内側に不織布が配置され、袋本体のガゼットよりも上方位置に、周方向に切り離し用のミシン目が形成され、袋本体の開口側に取手としての開口が設けられたことを特徴とする食品包装用袋。
【考案の詳細な説明】
【技術分野】
【０００１】
本考案は、惣菜、菓子などの食品を収容する食品包装用袋に関するものである。
【背景技術】
【０００２】
惣菜、菓子などの食品を収容する食品包装用袋としては、合成樹脂や紙等を用いて単一の素材で形成されたものが一般的である。
【考案の開示】
【考案が解決しようとする課題】
【０００３】
しかしながら、全体を紙製や不透明な合成樹脂製とすると、袋内の食品を外部から見ることができない。また、袋内が見えるように透明な合成樹脂製とすると、食品は見えるが、食品から落ちた油や水等のドリップが袋内部に付着しているのが見え、見た目が悪い。
【０００４】
本考案は、上記課題を解決するためになされたもので、内容物を視認することのでき、かつ見た目のよい食品包装用袋の提供を目的とするものである。
【課題を解決するための手段】
【０００５】
上記目的を達成するため、本考案は、透明又は半透明の合成樹脂フィルムと、不透明な耐油性及び／又は耐水性紙とを組み合わせたことを特徴とする。具体的には、本考案は、袋本体と底部とから構成された透明又は半透明の合成樹脂製の食品包装用袋であって、底部の内面側が耐油性及び／又は耐水性紙で構成されたことを特徴とする食品包装用袋である。袋本体が透明又は半透明の合成樹脂製フィルムにより構成されているため、袋内の食品を外部から視認することができる。また、底部が耐油性及び／又は耐水性紙で構成されているため不透明となり、食品から落ちた油や水等のドリップを外部から隠すことができ、見た目が良い。また、底部の耐油性及び／又は耐水性紙部分が、あたかもトレーや皿のような印象を与え、美感に優れる。さらにまた、耐油性及び／又は耐水性紙により、油や水の漏れを防ぐことができる。
【０００６】
なお、底部は、その内面側が耐油性及び／又は耐水性紙で構成されていればよく、底部を耐油性及び／又は耐水性紙のみから構成してもよいし、耐油性及び／又は耐水性紙の外側に合成樹脂等の他の素材を配置してもよい。また、耐油性及び／又は耐水性紙は、袋本体の下部まで延設してもよい。袋本体まで延設すれば、ドリップが外部からより見えにくくなる。また、「透明又は半透明」には、無色透明、無色半透明、有色透明及び有色半透明を含む概念である。
【０００７】
耐油性及び／又は耐水性紙の内側に、さらに不織布を配置することができる。不織布により、ドリップ等の吸水性能及び吸油性能をもたすことができる。ドリップが流出するのを防ぐことができ、見た目がよい。
【０００８】
本食品包装用袋は、ガゼットの有無、ガゼットの位置等の構造が限定されるものではないが、例えば、筒状の包装材の下方をヒートシール等により閉じたものとすると、食品包装用袋は倒れやすく、安定性が無い。また、底部及び左右側方の３面にガゼットを有する構造とすると、袋製造時において、両サイドのガゼットについては内方に折り込むことにより簡単に形成できるが、底部のガゼット９については、図６に示すように、四方から中央に向けて折り畳んだ後に、熱融着等により接着する作業が必要となり、製造工程が複雑となる。また、図７に示すように、内方に折り込んだガゼット１０を底側にのみ有し、左右側端をヒートシールした構造の食品包装用袋は、底の四隅１０ａに内容物が溜まってしまう。
【０００９】
そこで、袋本体は側方にガゼットの無い平袋から構成し、底部には内方に折り込んだガゼットを形成し、ガゼットを折り込んだ状態でガゼットの両端を斜めにカットして角を除去した構造とするのが好ましい。ガゼットにより接地面積が大きくなるので、自立安定性がよい。また、底側にのみガゼットを有するため、図６に示すような四方から折り込む作業は不要であり、簡単に形成することができる。また、ガゼットの両端が除去されているので、袋の四隅に内容物がはさまらずにすみ、内容物を取出しやすく、使い勝手が良い。また、ガゼットの両端を除去することにより、あたかも船型形状のトレーや皿のような印象を与え、美感に優れる。
【００１０】
さらにまた、袋本体のガゼットよりも上方位置に、周方向に切り離し用のミシン目を形成することができる。ミシン目により、袋開口側を切り離すことができるため、内容物を取り出しやすく、そのまま皿又はトレーの感覚で使用することができる。
【００１１】
また、袋本体の開口側に、取手としての開口を設けることができる。容易に持ち運ぶことができる。
【考案の効果】
【００１２】
本考案によると、袋本体は透明又は半透明の合成樹脂製フィルムにより構成されているため、包装された食品を外部から視認することができる。また、包装用袋の底部が耐油性及び／又は耐水性紙で構成されているため不透明となり、食品から落ちた油や水等のドリップを外部から隠すことができ、見た目が良い。また、包装用袋の底部の耐油性及び／又は耐水性紙部分が、あたかもトレーや皿のような印象を与え、美感に優れる。
【考案を実施するための最良の形態】
【００１３】
以下、本考案の実施形態である食品包装用袋１を図面に基づいて説明する。図１は本実施形態の食品包装用袋の斜視図、図２はその正面図、図３はその展開図、図４は製造工程を示す図、図５は使用状態を示す図であって、（ａ）は内容物を入れた状態を示す図、（ｂ）は切取り線で袋上部を取り外した状態を示す図である。なお、図３中のアルファベットａ〜ｃは、それぞれ対応する接着又は溶着部分を示す。
【００１４】
図１および図２に示すように、本食品包装用袋１は、底部２と袋本体３とから構成され、内方に折り込んだガゼットを底部２にのみ有し、ガゼットを折り込んだ状態で、ガゼットの両端が斜めにカットされて角が除去された透明の合成樹脂製の食品包装用袋１である。底側にガゼットが形成されているので、ガゼットを広げれば設地面積が大きくなるため自立性がよい。さらにまた、ガゼットの両端が斜めにカットされて角が除去されているので、底部２の角に内容物がはさまることがなく、使い勝手の良い食品包装用袋１となる。
【００１５】
また、ガゼットの両端が斜めにカットされることにより、図３に示すように、袋の展開形状においては、底部２は船形の六角形状に形成され、袋本体３は、台形状の下片３ａと長方形状の上片３ｂとからなる六角形状に形成される。
【００１６】
袋本体３は一部を除いてＯＰフィルム（二軸延伸ポリプロピレンフィルム）が用いられるがこれに限定されるものではない。また、底部２から袋本体３の下片３ａの中間位置にかけては、耐油及び耐水性紙４で構成される。なお、耐油及び耐水性紙４は、袋本体３の下片３ａの全域、さらには上片３ｂの一部にまでかけて設けてもよいし、または、底部２のみに設けるなど、その構成領域を変更してよいのは勿論である。耐油及び耐水性紙４としては、紙材の表面にポリプロピレンのラミネート加工が施されたものを用いるが、これに限定されるものではなく、例えば、シリコーン系、アクリル系、ポリエステル系、デンプン系等の薬剤を表面にコーティングしたもの等が代用可能である。耐油及び耐水性紙４により、食材からの水漏れ、油漏れを防ぐことができる。また、底部２が耐油及び耐水性紙４で構成されるため、紙の剛性によってより袋の自立性を高めることができる。
【００１７】
さらに、底部２の耐油及び耐水性紙４の内側に不織布５が積層される。不織布５としては、吸水性、吸油性を有する一般的な不織布５を用いることができる。不織布５により、内容物のドリップ等の吸水・吸油性能を上げることができる。したがって、油ものの惣菜に好適である。なお、不織布５は、耐油及び耐水性紙４の全域にわたって積層するなど、その設置範囲を変更してもよい。
【００１８】
袋本体３の上片３ｂのガゼット寄りの位置に、周方向に切り離し用のミシン目６が形成される。ミシン目６で袋本体３の上方を切り離すことにより、内容物が取り出しやすくなる。また、そのまま食卓に並べて、皿やトレーのような感覚で使用することができる。
【００１９】
袋本体３の開口側に、楕円形状の開口があけられることにより、取手７が形成される。持ち運びやすくなる。
【００２０】
次に、上記のような構成の食品包装用袋１の製造方法を説明する。図４に示すように、袋の前後面を形成する２枚の無色透明のプラスチックフィルム製袋材８の間に、耐油及び耐水性紙４を配し、耐油及び耐水性紙４のポリプロピレン加工面とプラスチックフィルム製袋材８との端部同士を重ねて合わせて熱溶着することにより連結する。なお、プラスチックフィルム製袋材８と耐油及び耐水性紙４とは、熱溶着ではなく接着剤等の他の手段により連結してもよい。また、プラスチックフィルム製袋材８と耐油及び耐水性紙４との端部を連結する構成とせずに、プラスチックフィルム製袋材８の内側に耐油及び耐水性紙４を積層する構成としてもよい。プラスチックフィルム製袋材８の素材としては、ＯＰフィルム（二軸延伸ポリプロピレンフィルム）が用いられるが、これに限定されるものではない。
【００２１】
また、底部２には、耐油及び耐水性紙４の内側にさらに不織布５が積層される。不織布５は、接着により耐油及び耐水性紙４に固定してもよいが、その側端が袋の周縁を熱溶着する際に挟み込まれて同時に固定される。
【００２２】
上記のような状態の連結及び積層構造のフィルムの中間部分（耐油及び耐水性紙４の中間部分）を内方側へひだ状に折り込むことにより、底部２にガゼットを形成し、ガゼットを折り込んだ状態で、ガゼットの両底角を斜めにカットして除去する。その後、図３に示すように、アルファベットで対応する袋の周縁同士をヒートシールにより溶着固定して袋状に形成した後、袋本体３の上方３ｂのガゼット寄りの位置に周方向に切り離し用のミシン目６を形成し、楕円形状の開口をあけて取手７を形成する。以上の工程により、本考案の食品包装用袋１を形成することができる。
【００２３】
このように、袋本体３は側方にガゼットの無い平袋から構成し、底部２にのみ折りひだ状に内側に折り込んだガゼットを有するため、簡単に製造することができる。また、本食品包装用袋１は、図５（ａ）に示すように、耐油性及び／又は耐水性紙４以外の部分は無色透明又は有色透明であるため、中身を視認することができる。また、底部２が耐油及び耐水性紙４で構成されているため、底部２が不透明となり、食品から落ちた油や水等のドリップを外部から隠すことができ、見た目が良い。さらにまた、不透明の耐油及び耐水性紙４が、底部２から袋本体３の下部にかけて設けられ、ガゼットの両底角が除去されているので、耐油及び耐水性紙４部分が船型のトレーや皿のような印象を与え、美感に優れる。
【００２４】
また、図５（ｂ）に示すように、ミシン目６で袋開口側を切り離すことができるため、内容物を取り出しやすくなる。また、そのまま食卓に並べて、皿やトレーのような感覚で使用することができる。
【図面の簡単な説明】
【００２５】
【図１】本実施形態の食品包装用袋の斜視図
【図２】本実施形態の食品包装用袋の正面図
【図３】本実施形態の食品包装用袋の展開図
【図４】本実施形態の食品包装用袋の製造工程を示す図
【図５】本実施形態の食品包装用袋の使用状態を示す図であって、（ａ）は内容物を入れた状態を示す図、（ｂ）は切取り線で袋上部を取り外した状態を示す図
【図６】一般的な袋の構造を示す図
【図７】一般的な袋の構造を示す図
【符号の説明】
【００２６】
１  食品包装用袋
２  底部
３  袋本体
４  耐油及び耐水性紙
５  不織布
６  ミシン目
７  取手
８  プラスチックフィルム製袋材
【図１】
0003136064.tif 000003
【図２】
0003136064.tif 000004
【図３】
0003136064.tif 000005
【図４】
0003136064.tif 000006
【図５】
0003136064.tif 000007
【図６】
0003136064.tif 000008
【図７】
0003136064.tif 000009